(57)【要約】【課題】簡単な操作で血管内の塞栓物を確実に捕捉、除去することのできる血管内異物除去用ワイヤおよび医療器具を提供すること。【解決手段】本発明の血管内異物除去用ワイヤ１は、可撓性を有する長尺なワイヤ本体２と、形状がループ状をなし、ワイヤ本体２の先端に、該ワイヤ本体２の軸に対し傾いて設けられたループワイヤ部４と、ループワイヤ部４における異なる２つの箇所の間に架設され、互いに交差するフィラメント部５ａ、５ｂとを有し、ループワイヤ部４およびフィラメント部５ａ、５ｂにより、血管内の異物を捕捉する異物捕捉空間３が形成され、ループワイヤ部４およびフィラメント部５ａ、５ｂが起立する起立状態と、異物捕捉空間３の大きさが起立状態のときの大きさよりも小さくなるように、ループワイヤ部４およびフィラメント部５ａ、５ｂが伏倒する伏倒状態とに変形可能である。【選択図】図１
2005124821.tif 000002
【特許請求の範囲】
【請求項１】
可撓性を有する長尺なワイヤ本体と、
形状がループ状をなし、前記ワイヤ本体の先端に、該ワイヤ本体の軸に対し傾いて設けられたループワイヤ部と、
前記ループワイヤ部における異なる２つの箇所の間に架設され、互いに交差する複数のフィラメント部とを有し、
前記ループワイヤ部および前記フィラメント部により、血管内の異物を捕捉する異物捕捉空間が形成され、
前記ループワイヤ部および前記フィラメント部が起立する起立状態と、
前記異物捕捉空間の大きさが前記起立状態のときの大きさよりも小さくなるように、前記ループワイヤ部および前記フィラメント部が伏倒する伏倒状態とに変形可能であることを特徴とする血管内異物除去用ワイヤ。
【請求項２】
前記起立状態において、前記ループワイヤ部は、前記ワイヤ本体の軸に対し３５〜９０°の角度で傾いている請求項１に記載の血管内異物除去用ワイヤ。
【請求項３】
前記ループワイヤ部には、２つの前記フィラメント部が設けられ、該２つのフィラメント部は、それぞれ、形状がアーチ状をなしており、互いに該アーチ状の頂部付近で交差している請求項１または２に記載の血管内異物除去用ワイヤ。
【請求項４】
前記ループワイヤ部は、放射線不透過材料で構成されている請求項１ないし３のいずれかに記載の血管内異物除去用ワイヤ。
【請求項５】
前記フィラメント部は、放射線不透過材料で構成されている請求項１ないし４のいずれかに記載の血管内異物除去用ワイヤ。
【請求項６】
前記ループワイヤ部および／または前記フィラメント部の少なくとも一部は、生体内で超弾性を示す合金で構成されている請求項１ないし５のいずれかに記載の血管内異物除去用ワイヤ。
【請求項７】
請求項１ないし６のいずれかに記載の血管内異物除去用ワイヤと、前記血管内異物除去用ワイヤを収納可能なルーメンを備えたカテーテルとを有することを特徴とする医療器具。
【請求項８】
前記ループワイヤ部および前記フィラメント部を前記ルーメン内に収納したとき、前記ループワイヤ部および前記フィラメント部は、前記ルーメンを画成する内壁面に規制されて、前記伏倒状態となり、
ループワイヤ部およびフィラメント部を前記ルーメンの先端開口部から突出させたとき、ループワイヤ部およびフィラメント部が前記起立状態となる請求項７に記載の医療器具。
【発明の詳細な説明】
【技術分野】
【０００１】
本発明は、血管内の塞栓物を除去する血管内異物除去用ワイヤおよび医療器具に関するものである。
【背景技術】
【０００２】
厚生労働省の人口動態統計によれば、日本人の死因の一位は癌、二位は心臓病、三位は脳卒中であり、特に脳卒中による死亡や後遺症が増加し、治療方法の確立が急務となっている。
【０００３】
近年、脳卒中の治療において急性期の脳梗塞治療に血栓溶解剤を用いた血栓溶解療法が開発され治療効果をあげているがその限界も指摘されている。すなわち、血栓溶解剤では血栓溶解に長時間を要したり、小さくなった血栓がさらに飛んで新たな塞栓部位を形成したり、また、血栓溶解剤で溶解しない血栓があることが医師の経験から認められている。
【０００４】
脳梗塞の場合、梗塞発症後３時間以内に血流が再開できれば救命の確率が高くなるばかりか、後遺症を少なくすることが米国や欧州で証明され、脳血管内に挿入可能で血栓を直接取ることができる医療器具の開発が強く求められている。
【０００５】
このような医療器具としては、先端に、形状がバスケット状の異物捕捉部を有するワイヤ（血管内異物除去用ワイヤ）を備えているものが開示されている（例えば、特許文献１参照）。
【０００６】
この異物捕捉部は、血管内にある異物を捕捉、除去する部位であり、ワイヤの軸に沿って、該ワイヤの軸とほぼ垂直な方向に湾曲した、４つの湾曲部を有している。この湾曲部により、異物捕捉部は、血管内の内壁に滑らかに当接することができ、よって、内壁に密着している異物を除去する際、内壁に損傷を与えるのを防止することができる。
【０００７】
しかしながら、この医療器具は、例えば心原性血栓のような、血管内に密着している異物を除去する際、異物捕捉部が血管の内壁と異物との間に、充分に入り込むことができず、確実に異物を除去するのが困難であるという問題があった。また、異物に対する異物捕捉部の向きを調整する必要があり、この調整（操作）も困難であるという問題があった。
【０００８】
【特許文献１】特表２００１−５０６１７５号公報
【発明の開示】
【発明が解決しようとする課題】
【０００９】
本発明の目的は、簡単な操作で血管内の塞栓物を確実に捕捉、除去することのできる血管内異物除去用ワイヤおよび医療器具を提供することにある。
【課題を解決するための手段】
【００１０】
このような目的は、下記（１）〜（８）の本発明により達成される。
（１）  可撓性を有する長尺なワイヤ本体と、
形状がループ状をなし、前記ワイヤ本体の先端に、該ワイヤ本体の軸に対し傾いて設けられたループワイヤ部と、
前記ループワイヤ部における異なる２つの箇所の間に架設され、互いに交差する複数のフィラメント部とを有し、
前記ループワイヤ部および前記フィラメント部により、血管内の異物を捕捉する異物捕捉空間が形成され、
前記ループワイヤ部および前記フィラメント部が起立する起立状態と、
前記異物捕捉空間の大きさが前記起立状態のときの大きさよりも小さくなるように、前記ループワイヤ部および前記フィラメント部が伏倒する伏倒状態とに変形可能であることを特徴とする血管内異物除去用ワイヤ。
【００１１】
（２）  前記起立状態において、前記ループワイヤ部は、前記ワイヤ本体の軸に対し３５〜９０°の角度で傾いている上記（１）に記載の血管内異物除去用ワイヤ。
【００１２】
（３）  前記ループワイヤ部には、２つの前記フィラメント部が設けられ、該２つのフィラメント部は、それぞれ、形状がアーチ状をなしており、互いに該アーチ状の頂部付近で交差している上記（１）または（２）に記載の血管内異物除去用ワイヤ。
【００１３】
（４）  前記ループワイヤ部は、放射線不透過材料で構成されている上記（１）ないし（３）のいずれかに記載の血管内異物除去用ワイヤ。
【００１４】
（５）  前記フィラメント部は、放射線不透過材料で構成されている上記（１）ないし（４）のいずれかに記載の血管内異物除去用ワイヤ。
【００１５】
（６）  前記ループワイヤ部および／または前記フィラメント部の少なくとも一部は、生体内で超弾性を示す合金で構成されている上記（１）ないし（５）のいずれかに記載の血管内異物除去用ワイヤ。
【００１６】
（７）  上記（１）ないし（６）のいずれかに記載の血管内異物除去用ワイヤと、前記血管内異物除去用ワイヤを収納可能なルーメンを備えたカテーテルとを有することを特徴とする医療器具。
【００１７】
（８）  前記ループワイヤ部および前記フィラメント部を前記ルーメン内に収納したとき、前記ループワイヤ部および前記フィラメント部は、前記ルーメンを画成する内壁面に規制されて、前記伏倒状態となり、
ループワイヤ部およびフィラメント部を前記ルーメンの先端開口部から突出させたとき、ループワイヤ部およびフィラメント部が前記起立状態となる上記（７）に記載の医療器具。
【発明の効果】
【００１８】
本発明によれば、ループワイヤ部およびフィラメント部が起立状態と伏倒状態とに変形可能であることにより、簡単な操作で血管内の塞栓物を確実に捕捉、除去することのできる。
【００１９】
また、起立状態における異物捕捉空間がより大きく形成されることにより、血管内の塞栓物を確実に捕捉、除去することができる。
【００２０】
また、ループワイヤ部が放射線不透過材料で構成されている場合には、Ｘ線などの透視下において、ループワイヤ部における塞栓物の捕捉状況を容易に確認することができ、よって、血管内の塞栓物をより確実に捕捉、除去することができる。
【発明を実施するための最良の形態】
【００２１】
以下、本発明の血管内異物除去用ワイヤおよび医療器具を添付図面に示す好適な実施形態に基づいて詳細に説明する。
【００２２】
図１は、本発明の血管内異物除去用ワイヤの実施形態（起立状態）を示す斜視図、図２および図３は、それぞれ、図１中の矢印Ａから見た図および矢印Ｂから見た図、図４は、図１に示す血管内異物除去用ワイヤの実施形態（伏倒状態）を示す側面図、図５ないし図８は、それぞれ、図１に示す血管内異物除去用ワイヤの使用方法を順を追って説明するための図である。
【００２３】
なお、以下の説明では、図１、図２および図４中の左側を「基端」、右側を「先端」と言い、図５〜図８中の右側を「基端」、左側を「先端」と言い、図３中の左側を「左」、右側を「右」と言う。
【００２４】
図１に示す血管内異物除去用ワイヤ１は、血管１００内の血栓、血餅等の塞栓の原因となる異物（以下、「塞栓物２００」と言う）を捕捉して除去するものである。
【００２５】
この血管内異物除去用ワイヤ１は、長尺なワイヤ本体２と、ワイヤ本体２の先端に設けられたループワイヤ部４と、ループワイヤ部４に撚り合わせて設けられた複数（本実施形態では、２つ）のフィラメント部５ａ、５ｂとを有している。
【００２６】
このような構成の血管内異物除去用ワイヤ１は、ループワイヤ部４とフィラメント部５ａ、５ｂとが起立する起立状態（図２参照）と、ループワイヤ部４とフィラメント部５ａ、５ｂとが伏倒する伏倒状態（図４参照）とに変形することができる。
【００２７】
以下、各部の構成について説明する。
図１に示すワイヤ本体２は、全長に渡って適度な剛性および弾性（可撓性）を有している。
【００２８】
ワイヤ本体２の構造としては、特に限定されず、例えば、単線からなるもの、複数本を束ねたもの、中空状のもの、多層構造のもの、芯材とその外周に巻回されたコイルとを有するもの、これらを組み合わせたものなどであってもよい。
【００２９】
ワイヤ本体２の構成材料としては、特に限定されず、各種金属材料や各種プラスチック等を単独または組み合わせて用いることができる。
【００３０】
また、ワイヤ本体２の長さは、適用する血管１００の位置、太さ等の症例によってもその好ましい値は異なるが、通常、５００〜４０００ｍｍ程度が好ましく、１５００〜２２００ｍｍ程度がより好ましい。
【００３１】
また、ワイヤ本体２の外径（太さ）は、適用する血管１００の位置、太さ等の症例によってもその好ましい値は異なるが、通常、平均外径が０．１〜２．０ｍｍであるのが好ましく、０．２５〜０．９ｍｍであるのがより好ましい。
【００３２】
また、ワイヤ本体２は、基端側に位置し、比較的硬い第１の部位と、先端側に位置し、比較的柔軟な第３の部位と、前記第１の部位と前記第３の部位との間に位置し、可撓性が変化する第２の部位とを有するものであることが好ましい。換言すれば、ワイヤ本体２は、剛性（曲げ剛性、ねじり剛性等）が基端から先端に向かって漸減するようなものであるのが好ましい。これにより、手元での操作が先端部２４まで確実に伝達し、血管１００内での走行性や屈曲部での操作性に優れるとともに、先端部２４の柔軟性を向上し、血管１００の損傷を防ぐことができる。すなわち、ワイヤ本体２のトルク伝達性、押し込み性（プッシャビリティ）、耐キンク性（耐折れ曲がり性）を維持しつつ、より高い安全性を確保することができる。
【００３３】
ワイヤ本体２の外面（表面）には、後述するカテーテル８の内面との摩擦抵抗を軽減する被覆層が設けられていてもよい。これにより、カテーテル８に対する挿入・抜去をよりスムーズに行うことができる。この被覆層としては、例えば、ポリテトラフルオロエチレン等のフッ素系樹脂の被覆層（テフロンコート（「テフロン」は登録商標））や、湿潤時に潤滑性を有する親水性ポリマーコート等が挙げられる。
【００３４】
図１に示すように、ループワイヤ部４は、形状が同一方向に湾曲し、ほぼ一平面上にあるようなループ状をなしており、ワイヤ本体２の軸に対し傾いて設けられている（固定されている）。
【００３５】
この固定の方法は、特に限定されないが、例えば、ループワイヤ部４の基端部４２をワイヤ本体２の先端部２４に編み付け（巻き付け）、ロウ付け等の溶接、接着剤による接着等を施すことにより固定することができる。
【００３６】
本実施形態では、ワイヤ本体２の先端部２４には、ループワイヤ部４のワイヤ本体２に対する固定部（ロウ付け部）を覆うコイル２１が設けられている。コイル２１の外表面は、平滑になっており、これにより、より高い安全性が得られる。コイル２１は、例えばプラチナ（白金）線等を巻回して形成されたものであることが好ましい。
【００３７】
このようなループワイヤ部４は、図２に示すように、自然状態（起立状態）において、ワイヤ本体２に対し、起立した状態となっている。このときのループワイヤ部４のワイヤ本体２の中心軸２３（軸）に対する角度（図２中のθで示す角度）は、２０〜９０°程度であるのが好ましく、４０〜６０°程度であるのがより好ましい。
【００３８】
このような構成により、塞栓物２００を捕捉する際、ループワイヤ部４の先端部４１が塞栓物２００と血管１００の内壁１００ａとの間により確実に入り込むことができ、よって、より確実に塞栓物２００を捕捉（除去）することができる（図８参照）。
【００３９】
また、ループワイヤ部４の構成材料としては、放射線不透過材料であるのが好ましい。この放射線不透過材料としては、特に限定されないが、例えば、金、プラチナ（白金）、プラチナ−イリジウム合金、タングステン、タンタル、パラジウム、鉛、銀、またはこれらのうちの少なくとも１種を含む合金、化合物等が挙げられる。
【００４０】
このような放射線不透過材料を用いることにより、Ｘ線などの透視下において、ループワイヤ部４における塞栓物２００の捕捉状況を容易に確認することができる。
【００４１】
また、ループワイヤ部４の構成材料としては、生体内（少なくとも生体温度（３７℃付近））で擬弾性を示す合金（超弾性を示す合金（以下、「超弾性合金」と言う）を含む）であるのが好ましい。
【００４２】
擬弾性を示す合金（以下、「擬弾性合金」と言う）には、引張りによる応力−ひずみ曲線のいずれの形状も含み、Ａｓ、Ａｆ、Ｍｓ、Ｍｆ等の変態点が顕著に測定できるものも、できないものも含み、応力により大きく変形（歪）し、応力の除去により元の形状にほぼ戻るものは全て含まれる。
【００４３】
擬弾性合金には、超弾性合金が含まれる。この超弾性合金の好ましい組成としては、４９〜５２原子％ＮｉのＮｉ−Ｔｉ合金等のＮｉ−Ｔｉ系合金、３８．５〜４１．５重量％ＺｎのＣｕ−Ｚｎ合金、１〜１０重量％ＸのＣｕ−Ｚｎ−Ｘ合金（Ｘは、Ｂｅ、Ｓｉ、Ｓｎ、Ａｌ、Ｇａのうちの少なくとも１種）、３６〜３８原子％ＡｌのＮｉ−Ａｌ合金等が挙げられる。このなかでも特に好ましいものは、上記のＮｉ−Ｔｉ系合金である。
【００４４】
このような擬弾性合金を用いることにより、ループワイヤ部４は、十分な柔軟性と曲げに対する復元性が得られ、ループワイヤ部４が起立・伏倒するような変形を繰り返しても、優れた復元性により曲がり癖が付くのを防止することができる。
【００４５】
起立状態において、ループワイヤ部４のループ径（図２中のＤで示す長さ）は、特に限定されないが、例えば、脳血管内にある塞栓物２００（血栓）を捕捉する際には、通常、１〜２０ｍｍ程度が好ましく、２〜５ｍｍ程度がより好ましい。
【００４６】
また、ループワイヤ部４の外径（太さ）は、特に限定されないが、例えば、脳血管内にある塞栓物２００（血栓）を捕捉する際には、通常、０．０２〜０．２０ｍｍ程度が好ましく、０．０４〜０．１２ｍｍ程度がより好ましい。ここで、ループワイヤ部４の外径とは、ループワイヤ部４にフィラメント部５ａ、５ｂを撚り合わせた部分（撚り線部４３）については、全体の外径を言う。
【００４７】
図１および図３に示すように、フィラメント部５ａおよび５ｂは、それぞれ、ループワイヤ部４において、異なる２つの箇所の間に架設されており、前述したように、起立状態（図２参照）と伏倒状態（図４参照）とに変形可能となっている。
【００４８】
このようなフィラメント部５ａおよび５ｂは、左右対称となるようループワイヤ部４に設置（架設）されている。
【００４９】
フィラメント部５ａおよび５ｂのそれぞれの形状は、先端に向かって湾曲しているアーチ状をなしており、アーチ状の頂部５１、５１付近で交差している。ここで、交差とは、フィラメント部５ａ、５ｂが互いに接近していることを言い、必ずしも接触していなくてもよいし、さらには、接触していても、その交差箇所が移動可能に構成されていてもよい。
【００５０】
このように、フィラメント部５ａとフィラメント部５ｂとが交差していることにより、塞栓物２００を捕捉する際、一旦捕捉した塞栓物２００が先端側から脱落（離脱）するのを防止することができる（図８参照）。
これにより、より確実に塞栓物２００を捕捉（除去）することができる。
【００５１】
フィラメント部５ａ、５ｂの構成材料としては、ループワイヤ部４と同様に、放射線不透過材料であるのが好ましい。
これにより、前述したようなループワイヤ部４とほぼ同様の効果を得ることができる。
【００５２】
また、フィラメント部５ａ、５ｂの構成材料としては、ループワイヤ部４と同様に、擬弾性合金であるのが好ましい。
これにより、前述したようなループワイヤ部４とほぼ同様の効果を得ることができる。
【００５３】
起立状態において、ループワイヤ部４と頂部５１との距離（図２中のＨで示す距離）は、特に限定されないが、例えば、脳血管内にある塞栓物２００（血栓）を捕捉する際には、通常、３〜２０ｍｍ程度が好ましく、３〜１０ｍｍ程度がより好ましい。
【００５４】
また、フィラメント部５ａ、５ｂの外径（太さ）は、特に限定されないが、例えば、脳血管内にある塞栓物２００（血栓）を捕捉する際には、通常、０．０１〜０．２０ｍｍ程度が好ましく、０．０４〜０．１ｍｍ程度がより好ましい。このときのフィラメント部５ａ、５ｂを構成する線材の本数は、特に限定されないが、２〜８本程度が好ましく、２〜４本程度がより好ましい。
【００５５】
このような構成の血管内異物除去用ワイヤ１は、ループワイヤ部４およびフィラメント部５ａ、５ｂにより、図１に示すような血管１００内の塞栓物２００（異物）を捕捉する異物捕捉空間３が形成されている。
【００５６】
伏倒状態において、この異物捕捉空間３は、大きさが起立状態のときの大きさよりも小さくなるよう構成されている（図２および図４参照）。
【００５７】
このように、起立状態で異物捕捉空間３がより大きく形成されていることにより、確実に塞栓物２００を捕捉（除去）することができる。
【００５８】
また、ループワイヤ部４およびフィラメント部５ａ、５ｂが伏倒状態に変形することにより、血管１００内にある塞栓物２００を捕捉する際、カテーテル８内において血管内異物除去用ワイヤ１を容易に移動させることができる。
【００５９】
なお、ループワイヤ部４が擬弾性合金で構成されているとき、ループワイヤ部４は、全体的に擬弾性合金で構成されていてもよいし、部分的に構成されていてもよい。
【００６０】
また、フィラメント部５ａ、５ｂも同様に、擬弾性合金で構成されているとき、全体的に擬弾性合金で構成されていてもよいし、部分的に構成されていてもよい。
【００６１】
また、フィラメント部５ａ、５ｂは、左右対称にループワイヤ部４へ固定されているのに限定されず、非対称に固定されていてもよい。
【００６２】
なお、本発明の医療器具９は、このような血管内異物除去用ワイヤ１と、ルーメン８２が形成されたカテーテル８とを有するものである。
【００６３】
次に、本発明の血管内異物除去用ワイヤ１の使用方法の一例について詳細に説明する。以下、ループワイヤ部４とフィラメント部５ａ、５ｂとで構成された部位を「捕捉部１１」と言う。
【００６４】
［１］  図５は、血管１００内に血栓等の塞栓物２００が詰まり、血流を阻害している状態を示している。塞栓物２００は、血圧により血管１００の内壁１００ａに押し付けられ、容易に移動しない状態になっている。
【００６５】
カテーテル（マイクロカテーテル）８と、そのルーメン８２内に挿通されたガイドワイヤ１０とを、血管１００内に挿入し、カテーテル８の先端開口部８１から突出させたガイドワイヤ１０の先端部１０１を塞栓物２００より奥（末梢側）まで挿入する。すなわち、ガイドワイヤ１０の先端部１０１が塞栓物２００と血管１００の内壁１００ａとの隙間を通り抜けて、塞栓物２００を越えた状態とする。この操作は、ガイドワイヤ１０として、例えば潤滑性に優れるマイクロガイドワイヤを使用することにより、より容易に行うことができる。
【００６６】
［２］  ガイドワイヤ１０の先端部１０１が塞栓物２００を越えたら、ガイドワイヤ１０に対しカテーテル８を前進させ、図６に示すように、カテーテル８の先端部を塞栓物２００と血管１００の内壁１００ａとの隙間に入り込ませる。このとき、カテーテル８の先端部は、ガイドワイヤ１０に沿って円滑に隙間に入り込むので、この操作は容易に行うことができる。
【００６７】
なお、従来の治療としては、この状態でカテーテル８を介して逆行性に血栓溶解剤を流し、血栓溶解を速めることが行なわれてきたが、血栓溶解剤で溶けない血栓があることや溶解に長時間かかることがしばしば医師により経験されている。本発明は、そのような場合にも有用である。
【００６８】
［３］  図６に示す状態から、ガイドワイヤ１０を抜去し、カテーテル８のルーメン８２に本発明の血管内異物除去用ワイヤ１を挿入する。このとき、図７に示すように、捕捉部１１は、ルーメン８２を画成する内壁面８２１に規制されて、伏倒状態となっている。
【００６９】
［４］  図８に示すように、捕捉部１１をカテーテル８の先端開口部８１から突出させると、伏倒状態でカテーテル８内にあった捕捉部１１は、自身の弾性により自動的に展開し、起立状態となる。このときの捕捉部１１の向きは、ループワイヤ部４が塞栓物２００側に位置し、フィラメント部５ａ、５ｂがループワイヤ部４に対して塞栓物２００と反対側に位置した向きとなっている。また、このとき、捕捉部１１で画成された空間、すなわち、異物捕捉空間３は、大きさが伏倒状態のときの大きさよりも大きくなっている。
【００７０】
このような捕捉部１１および異物捕捉空間３の状態により、塞栓物２００を確実に（容易に）捕捉することができる。
【００７１】
［５］  前述の起立状態から、カテーテル８を僅かに基端方向に移動させ、カテーテル８の先端部を塞栓物２００の手前に引き戻す。さらに、血管内異物除去用ワイヤ１も手前に少し引き戻すと、図８に示すように、捕捉部１１（異物捕捉空間３）に塞栓物２００がすくい取られるようにして、捕捉（収納）される。すなわち、塞栓物２００は、図７および図８中の上側から異物捕捉空間３に入り込む。
【００７２】
［６］  異物捕捉空間３に塞栓物２００が収納されたら、カテーテル８に対しワイヤ本体２を基端方向（図８中の矢印の方向）に牽引する。これにより、ループワイヤ部４の幅が狭まり、かつ、若干、伏倒状態に近くなるように変形し、異物捕捉空間３に塞栓物２００が深く入り込み（収納され）、よって、塞栓物２００を確実に保持（捕捉）することができる。
【００７３】
［７］  前記の保持状態（捕捉状態）を維持しつつ、血管内異物除去用ワイヤ１をカテーテル８とともに抜去する。これにより、親のガイディングカテーテルまたはシースイントロデューサー(図示せず)内に塞栓物２００が回収（除去）される。
【００７４】
なお、［６］の捕捉の操作を行わず、捕捉部１１内に塞栓物２００が収納されたら、そのまま血管内異物除去用ワイヤ１をカテーテル８とともに抜去して、塞栓物２００を除去してもよい。
【００７５】
また、［４］の起立状態において、捕捉部１１の向きが前述したような向きになっていない場合には、捕捉部１１が塞栓物２００を越えた位置で、当該向きを調整するのが好ましい。
【００７６】
また、同様に、捕捉部１１の向きが前述したような向きになっていない場合には、塞栓物２００を捕捉する際、カテーテル８の基端側から造影剤を投与し、この捕捉を確認しつつ、ワイヤ本体２を操作するのが好ましい。
【００７７】
以上、本発明の血管内異物除去用ワイヤおよび医療器具を図示の実施形態について説明したが、本発明は、これに限定されるものではなく、血管内異物除去用ワイヤおよび医療器具を構成する各部は、同様の機能を発揮し得る任意の構成のものと置換することができる。また、任意の構成物が付加されていてもよい。
【００７８】
例えば、ループワイヤ部の形状は、同一方向に湾曲したループ状であるのに限定されず、例えば、複数の方向に湾曲したループ状であってもよい。
【００７９】
また、ループワイヤ部の形状は、ほぼ一平面上にあるようなループ状であるのに限定されず、例えば、矢印Ａから見たときにアーチ状（弓なり状）に形成された、ループ状であってもよい。
また、フィラメント部は、２つであるのに限定されず、３つ以上であってもよい。
【００８０】
また、フィラメント部のループワイヤ部への固定は、フィラメント部をループワイヤ部に撚り合せるのに限定されず、例えば、編み付け（巻き付け）、ロウ付け等の溶接、接着剤による接着等であってもよい。
【００８１】
また、ループワイヤ部およびフィラメント部の表面には、滑り止め手段が設けられていてもよい。これにより、捕捉した塞栓物をより確実に保持することができる。この滑り止め手段としては、比較的摩擦係数の高いゴム等の弾性材料を被覆したり、微小の凹凸（粗面も含む）を例えばサンドブラスト等により形成したりすることができる。
【図面の簡単な説明】
【００８２】
【図１】本発明の血管内異物除去用ワイヤの実施形態（起立状態）を示す斜視図である。
【図２】図１中の矢印Ａから見た図である。
【図３】図１中の矢印Ｂから見た図である。
【図４】図１に示す血管内異物除去用ワイヤの実施形態（伏倒状態）を示す側面図である。
【図５】図１示す血管内異物除去用ワイヤの使用方法を順を追って説明するための図である。
【図６】図１示す血管内異物除去用ワイヤの使用方法を順を追って説明するための図である。
【図７】図１示す血管内異物除去用ワイヤの使用方法を順を追って説明するための図である。
【図８】図１示す血管内異物除去用ワイヤの使用方法を順を追って説明するための図である。
【符号の説明】
【００８３】
１            血管内異物除去用ワイヤ
１１          捕捉部
２            ワイヤ本体
２１          コイル
２３          中心軸
２４          先端部
３            異物捕捉空間
４            ループワイヤ部
４１          先端部
４２          基端部
４３          撚り線部
５ａ、５ｂ    フィラメント部
５１          頂部
８            カテーテル
８１          先端開口部
８２          ルーメン
８２１        内壁面
９            医療器具
１０          ガイドワイヤ
１０１        先端部
１００        血管
１００ａ      内壁
２００        塞栓物
【図１】
2005124821.tif 000003
【図２】
2005124821.tif 000004
【図３】
2005124821.tif 000005
【図４】
2005124821.tif 000006
【図５】
2005124821.tif 000007
【図６】
2005124821.tif 000008
【図７】
2005124821.tif 000009
【図８】
2005124821.tif 000010